(57)【要約】【課題】肌あたりのよいバリカン用刃ユニットの提供。【解決手段】バリカン本体２０１に取り付けられる刃ユニット１００であって、複数の固定刃１１１を櫛歯状に並べて備える固定刃体１０１と、複数の可動刃１２１を櫛歯状に並べて備える可動刃体１０２と、固定刃体１０１を保持し、可動刃体１０２を往復動可能に保持する基台１０３とを備え、基台１０３は、固定刃１０１に沿って延在するリブ１３１を備える刃ユニット。【選択図】図２
2018175278.tif 000002
【特許請求の範囲】
【請求項１】
バリカン本体に取り付けられる刃ユニットであって、
複数の固定刃を櫛歯状に並べて備える固定刃体と、
複数の可動刃を櫛歯状に並べて備える可動刃体と、
前記固定刃体を保持し、前記可動刃体を往復動可能に保持する基台とを備え、
前記基台は、
前記固定刃に沿って延在するリブを備える
刃ユニット。
【請求項２】
前記リブは、
前記固定刃体に対し前記可動刃体の反対側に配置される
請求項１に記載の刃ユニット。
【請求項３】
前記リブは、前記固定刃と離れた位置に配置される
請求項２に記載の刃ユニット。
【請求項４】
前記リブは、
前記固定刃の刃先に至るまで延在する
請求項１から３のいずれかに記載の刃ユニット。
【請求項５】
前記リブは、
１本の前記固定刃を覆った場合、両側にそれぞれ隣り合う前記固定刃との間に隙間が生じる幅を備える
請求項１から４のいずれかに記載の刃ユニット。
【請求項６】
前記リブよりも幅が広く、並んで配置される前記固定刃の両端に対応する位置にそれぞれ配置される端リブをさらに備える
請求項１から５のいずれかに記載の刃ユニット。
【請求項７】
前記基台は、前記リブを複数備え、
前記リブは、隣り合う前記固定刃の距離の整数倍離れた位置に配置される
請求項１から６のいずれかに記載の刃ユニット。
【請求項８】
前記可動刃体が往復動する面の法線方向において、前記リブは、前記固定刃と重なる位置に配置される
請求項１から７のいずれかに記載の刃ユニット。
【請求項９】
請求項１から８のいずれかに記載の刃ユニットを備えたバリカン。
【発明の詳細な説明】
【技術分野】
【０００１】
本発明は、体毛を切断するバリカン本体に取り付けられる刃ユニット、および、刃ユニットを備えたバリカンに関する。
【背景技術】
【０００２】
体毛の切断に用いられる電動バリカンは、駆動源やバッテリーが内蔵された筐体と筐体の先端に取り替え可能に取り付けられる刃ユニットを備えている（例えば特許文献１）。このような電動バリカンを用いて体毛を処理する場合、突出状態で刃ユニットに備えられている固定刃と可動刃とを肌面に沿ってスライドさせていくことで除毛が行われる。
【先行技術文献】
【特許文献】
【０００３】
【特許文献１】特開２０１４−４５８０６号公報
【発明の概要】
【発明が解決しようとする課題】
【０００４】
ところが、電動バリカンは頭部や顎など比較的固い部分ばかりでなく、比較的柔らかい部分の体毛を処理する場合がある。特に他人の操作により比較的柔らかい部分の体毛が処理される場合、刃先が強く肌に当たることによる刺激で痛みを感じることがある。
【０００５】
本発明は上記課題に鑑みなされたものであり、肌あたりを和らげることができる電動バリカン用の刃ユニット、および、刃ユニットを備えたバリカンの提供を目的としている。
【課題を解決するための手段】
【０００６】
上記目的を達成するために、本発明の１つであるユニットは、バリカン本体に取り付けられる刃ユニットであって複数の固定刃を櫛歯状に並べて備える固定刃体と、複数の可動刃を櫛歯状に並べて備える可動刃体と、前記固定刃体を保持し、前記可動刃体を往復動可能に保持する基台とを備え、前記基台は、前記固定刃に沿って延在するリブを備える。
【０００７】
これによれば、リブにより固定刃が肌に食い込むことを抑制し、肌あたりを和らげることが可能となる。
【０００８】
また、前記リブは、前記固定刃体に対し前記可動刃体の反対側に配置されてもよい。
【０００９】
これによれば、体毛を短く切断することができる。
【００１０】
前記リブは、前記固定刃と離れた位置に配置されてもよい。
【００１１】
これによれば、固定刃とリブとの間に体毛が挟まって体毛を引っ張り抜くことを防止できる。
【００１２】
また、前記リブは、前記固定刃の刃先に至るまで延在してもよい。
【００１３】
これにより、肌あたりをより効果的に和らげることが可能となる。
【００１４】
また、前記リブは、前記固定刃を覆い、隣り合う前記固定刃までには至らない幅を備えてもよい。
【００１５】
これによれば、リブによる肌あたりの改善効果を維持しつつ、リブが体毛処理の妨げになることを回避できる。
【００１６】
また、前記リブよりも幅が広く、並んで配置される前記固定刃の両端に対応する位置にそれぞれ配置される端リブをさらに備えてもよい。
【００１７】
これによれば、食い込むことにより最も肌を刺激する固定刃の端部を端リブによって覆うことにより、固定刃の肌あたりを効果的に改善することが可能となる。
【００１８】
また、前記基台は、前記リブを複数備え、前記リブは、隣り合う前記固定刃の距離の整数倍離れた位置に配置されるものでもよい。
【００１９】
これによれば、いずれのリブも体毛処理の妨げにならずに肌あたりを和らげることが可能となる。
【００２０】
前記可動刃体が往復動する面の法線方向において、前記リブは、前記固定刃と重なる位置に配置されるものでもよい。
【００２１】
これによれば、固定刃が肌に食い込むことを有効に防止し、肌あたりを改善することができる。
【発明の効果】
【００２２】
本発明によれば、バリカンの刃の肌あたりを和らげることができる。
【図面の簡単な説明】
【００２３】
【図１】図１は、刃ユニットが取り付けられた状態のバリカンを示す斜視図である。
【図２】図２は、刃ユニットをバリカン本体側から示した斜視図である。
【図３】図３は、刃ユニットの固定刃の近傍部を示した平面図である。
【図４】図４は、刃ユニットの固定刃とリブとの関係を示した平面図である。
【図５】図５は、刃ユニットの固定刃とリブとの関係を示した側面図である。
【発明を実施するための形態】
【００２４】
次に、本発明に係る刃ユニットの実施の形態について、図面を参照しつつ説明する。なお、以下の実施の形態は、本発明に係る刃ユニットの一例を示したものに過ぎない。従って本発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２５】
また、図面は、本発明を示すために適宜強調や省略、比率の調整を行った模式的な図となっており、実際の形状や位置関係、比率とは異なる場合がある。
【００２６】
図１は、刃ユニットが取り付けられた状態のバリカンを示す斜視図である。
【００２７】
同図に示すように、バリカン２００は、体毛を切断するための電動バリカンであって、バリカン本体２０１と、刃ユニット１００とを備えている。
【００２８】
バリカン本体２０１は、片手で握ることができるように筒型に形成された筐体と、筐体内部に配置される駆動源やバッテリーを備えている。また、バリカン本体２０１の先端部は、着脱自在に装着される刃ユニット１００の可動刃体（後述）に接続され、可動刃体を往復動させる軸体（図示せず）が設けられている。
【００２９】
なお、図中において、Ｘ軸方向を固定刃（後述）の延在方向とし、Ｙ軸方向を固定刃の並び方向とし、Ｚ軸方向をＸ軸およびＹ軸に直交する方向とした三次元の直交座標系で各部を図示する場合がある。
【００３０】
図２は、刃ユニットをバリカン本体側から示した斜視図である。
【００３１】
同図に示すように、刃ユニット１００は、固定刃体１０１と、可動刃体１０２と、基台１０３とを備えている。また、基台１０３と可動刃体１０２との間には可動刃体１０２を固定刃体１０１に押し付ける押上バネ１０４が配置されている。
【００３２】
固定刃体１０１は、複数の矩形棒状の固定刃１１１を櫛歯状に並べて一体に備える板金からなる部材である。本実施の形態の場合、固定刃体１０１は、固定刃１１１が基台１０３から突出するように基台１０３に対して固定的に取り付けられており、可動刃体１０２よりもバリカン本体２０１側に配置されるように取り付けられている。本実施の形態の場合、複数の固定刃１１１の両端部に位置する固定刃１１１は、内側に配置される固定刃１１１の幅（図中Ｙ軸方向の長さ）よりも幅広となっている。以降、両端部に位置する幅広の固定刃１１１を端固定刃１１２と記載する場合がある。端固定刃１１２は、固定刃１１１が隣り合わない側の角部が丸められている。
【００３３】
可動刃体１０２は、固定刃体１０１と同様に、複数の可動刃１２１（図５参照）を櫛歯状に並べて一体に備える板金からなる部材である。本実施の形態の場合、可動刃体１０２が備える可動刃１２１は、固定刃１１１とほぼ同様の幅を備え、固定刃体１０１が備える固定刃１１１のピッチと同じピッチで配置されている。可動刃体１０２が備える可動刃１２１の本数は、固定刃体１０１が備える固定刃１１１の本数と同じである。
【００３４】
可動刃体１０２は、基台１０３と固定刃体１０１との間に配置され、押上バネ１０４によって固定刃体１０１に摺動可能に面接触状態で押し付けられている。可動刃体１０２が備える可動刃１２１は、刃先が固定刃１１１刃先よりも基端側に位置するように固定刃１１１に重なった状態で配置されている。
【００３５】
図３は、刃ユニットの固定刃の近傍部を示した平面図である。
【００３６】
図４は、刃ユニットの固定刃とリブとの関係を示した平面図である。
【００３７】
図５は、刃ユニットの固定刃とリブとの関係を示した側面図である。
【００３８】
これらの図に示すように、基台１０３は、固定刃体１０１を保持し、可動刃体１０２を往復動可能に保持する部材である。また、基台１０３は、バリカン本体２０１の先端部分に着脱可能に取り付けられる。基台１０３がバリカン本体２０１に取り付けられた状態では、バリカン本体２０１に内蔵されている駆動源と基台１０３が保持する可動刃体１０２とが軸体により接続された状態となっている。基台１０３は、固定刃１１１の基端側から刃先に向かって突出し、固定刃１１１に沿って延在するリブ１３１を備えている。
【００３９】
本実施の形態の場合、基台１０３は、薄い箱状の樹脂成形品であり基台１０３の側壁と底部との角部から外方に向かって固定刃１１１が突出するように固定刃体１０１が取り付けられている。また、基台１０３は、基台１０３の側壁外面から固定刃１１１の刃先に向かって突出する複数のリブ１３１を一体に備えている。さらに、基台１０３は、リブ１３１よりも幅が広く、端固定刃１１２に対応する位置にそれぞれ配置される端リブ１３２をさらに備えている。リブ１３１、および、端リブ１３２は、固定刃体１０１に対し可動刃体１０２の反対側に配置されている。
【００４０】
図５に示すように、リブ１３１、および、端リブ１３２は、固定刃１１１の刃先に至るまで延在している。これにより、固定刃１１１の刃先とリブ１３１および端リブ１３２の先端が同一平面内に配置され、固定刃１１１を肌の柔らかい部分に押し当てた場合にリブ１３１および端リブ１３２も同時に押し当てられるため、肌あたりを和らげることができる。
【００４１】
本実施の形態の場合、リブ１３１は、側面視（図中Ｙ軸方向視）において、箱状の基台１０３の側壁から先端に向かって徐々に幅が狭くなる三角形状となっている。
【００４２】
また、リブ１３１および端リブ１３２は、固定刃１１１から所定長さ離れた位置に配置されている。これにより、リブ１３１および端リブ１３２と固定刃１１１との間に挟まれた体毛がバリカン２００の動作により抜けることによる痛みの発生を防止できる。また、金属製の固定刃体１０１に対する樹脂製の基台１０３の寸法精度に余裕が生まれるため、基台１０３が容易に成形することが可能となる。
【００４３】
また図４に示すように、可動刃体１０２の可動刃１２１が往復動する面（図中ＸＹ平面に平行な面）の法線方向（図中Ｚ軸方向）において、リブ１３１は、固定刃１１１と重なる位置に配置されている。端リブ１３２は、端固定刃１１２と重なる位置に配置されている（図３参照）。また、リブ１３１の幅であるリブ幅ＬＷは、固定刃１１１の幅である歯幅ＢＷよりも長く、隣り合う固定刃１１１の間隔である刃溝幅Ｇの２倍に歯幅ＢＷを足した長さよりも短い。つまり、リブ１３１の幅は、１本の固定刃１１１を覆った場合、両側にそれぞれ隣り合う固定刃１１１との間に隙間が生じる幅となっている。
【００４４】
以上のような歯幅ＢＷとリブ幅ＬＷとの関係、および、固定刃１１１とリブ１３１との位置関係によって、固定刃１１１に重なるリブ１３１と隣り合う固定刃１１１との間には隙間が存在するため、リブ１３１が体毛を切断する際の障害になることを回避できる。
【００４５】
また、基台１０３が備える複数のリブ１３１は、隣り合う固定刃１１１の距離の整数倍離れた位置に配置されている。つまり、いずれのリブ１３１も、固定刃１１１に重なるように配置されている。
【００４６】
上記実施の形態の刃ユニット１００をバリカン本体２０１の先端に取り付けて体毛を処理すると、固定刃１１１の肌への食い込み、特に肌の柔らかい部分への組み込みを防止することができ、肌に対する刺激を抑制することが可能となる。
【００４７】
また、リブ１３１を固定刃１１１の刃先まで延在させることにより、固定刃１１１を肌へ当てる際の固定刃１１１の肌に対する傾き（固定刃１１１の刃先の並び方向を回転軸とした傾き）にバラツキがあっても、いずれの傾きでも固定刃１１１が肌に食い込むことを防止でき、肌に対する刺激を抑制することができる。
【００４８】
また、端リブ１３２の幅がリブ１３１のリブ幅ＬＷに比べて広く構成され、端固定刃１１２を覆う位置に配置されているため、固定刃１１１を肌へ当てる際の固定刃１１１の肌に対する傾き（可動刃１２１が往復動する面の法線方向を回転軸とした傾き）にバラツキがあっても、いずれの傾きでも固定刃１１１が肌に食い込むことを防止でき、肌に対する刺激を抑制することができる。
【００４９】
また、隣り合う固定刃１１１の隙間である刃溝をリブ１３１によって完全には覆わないリブ幅ＬＷ、および、リブ１３１と固定刃１１１との相対的な位置関係とすることにより、リブ１３１によって不本意に体毛が倒されて刃溝に体毛が挿入されない状態であるいわゆる毛倒しを回避でき、除毛ミスを防止することが可能となる。
【００５０】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００５１】
例えば、上記実施の形態では固定刃１１１に対し可動刃１２１の反対側にリブ１３１を配置した場合を説明したが、固定刃１１１とリブ１３１との間に可動刃１２１が配置される態様を否定するものではない。
【００５２】
また、端リブ１３２の間に３本のリブ１３１が配置される場合を説明したが、端リブ１３２が配置されていなくても良く、リブ１３１の本数は単数であってもかまわない。
【００５３】
また、リブ１３１の形状は先端に向かって幅が狭くなるテーパ形状ばかりでなく、任意の形状を選択することができる。
【産業上の利用可能性】
【００５４】
本発明は、体毛を処理するバリカンに利用されるものである。例えば、医療用バリカンの替え刃として利用可能である。
【符号の説明】
【００５５】
１００  刃ユニット
１０１  固定刃体
１０２  可動刃体
１０３  基台
１０４  押上バネ
１１１  固定刃
１１２  端固定刃
１２１  可動刃
１３１  リブ
１３２  端リブ
２００  バリカン
２０１  バリカン本体
Ｇ  刃溝幅
ＢＷ  歯幅
ＬＷ  リブ幅
【図１】
2018175278.tif 000003
【図２】
2018175278.tif 000004
【図３】
2018175278.tif 000005
【図４】
2018175278.tif 000006
【図５】
2018175278.tif 000007